(57)【要約】【課題】  交流駆動プラズマディスプレイの維持放電回路の駆動回路に於いて、インダクタンスを小さくする実装構造を提供すること。【解決手段】  電極が形成されたプラズマディスプレイパネルと、そのプラズマディスプレイパネルを固定する導電性の導電体と、導電体に複数の固定部材を介して固定された一対の配線基板と、一対の配線基板のそれぞれに１ずつ配置された一対の電流供給部と、プラズマディスプレイパネルの端部に接続された一対の第１接続配線基板と、一対の配線基板の端部に接続された一対の第２接続配線基板と、一対の配線基板の接地配線に接続され、一対の第２接続配線基板と並行に配置された一対の第３接続配線基板と、導電体の端部に接続された一対の第４接続配線基板と、第１から第４の接続配線基板とに接続され、電流経路を切り換える一対の電流経路切換部と、を備える。【選択図】図１
2007047619.tif 000002
【特許請求の範囲】
【請求項１】
電極が形成されたプラズマディスプレイパネルと、
前記プラズマディスプレイパネルを固定する導電性の導電体と、
前記導電体に複数の固定部材を介して固定された一対の配線基板と、
前記一対の配線基板のそれぞれに１ずつ配置された一対の電流供給部と、
前記プラズマディスプレイパネルの端部に接続された一対の第１接続配線基板と、
前記一対の配線基板の端部に接続された一対の第２接続配線基板と、
前記一対の配線基板の接地配線に接続され、前記一対の第２接続配線基板と並行に配置された一対の第３接続配線基板と、
前記導電体の端部に接続された一対の第４接続配線基板と、
前記第１接続配線基板と前記第２接続配線基板と前記第３接続配線基板と前記第４接続配線基板とが接続され、電流経路を切り換える一対の電流経路切換部と、を有するプラズマディスプレイ装置。
【請求項２】
電極が形成されたプラズマディスプレイパネルと、
前記プラズマディスプレイパネルを固定する導電性の導電体と、
前記導電体に複数の固定部材を介して固定された配線基板と、
前記配線基板に配置された２つの電流供給部と、
前記プラズマディスプレイパネルの端部に接続された一対の第１接続配線基板と、
前記配線基板の端部に接続された第２接続配線基板と、
前記配線基板の接地配線に接続され、前記第２接続配線基板と並行に配置された第３接続配線基板と、
前記導電体の端部に接続された一対の第４接続配線基板と、
前記配線基板上に配置され、且つ前記第２接続配線基板と前記２つの電流供給部との間に配置された電流経路切換部と、を有し、
前記一対の第１接続配線基板の一方と前記第２接続配線基板とは直接接続され、
前記第３接続配線基板と前記一対の第４接続配線基板の一方とは直接接続され、
前記一対の第１接続配線基板の他方と前記一対の第４接続配線基板の他方とは直接接続されたプラズマディスプレイ装置。
【請求項３】
請求項１または請求項２記載のプラズマディスプレイ装置において、
前記第１接続配線基板と前記第２接続配線基板と前記第３接続配線基板と前記第４接続配線基板とは、基板面に対して平面状に広がりを持つ電流路が形成されたプラズマディスプレイ装置。
【請求項４】
請求項１または請求項２記載のプラズマディスプレイ装置において、
前記配線基板と前記導電体間の電流の流入出と、前記配線基板と前記プラズマディスプレイ間の電流の流入出は、前記配線基板上の一方向から行われるプラズマディスプレイ装置。
【請求項５】
請求項１または請求項２記載のプラズマディスプレイ装置において、
前記複数の固定部材は、導電性の部材であり、前記配線基板の配線層とは接続されていないプラズマディスプレイ装置。
【請求項６】
請求項１記載のプラズマディスプレイ装置において、
前記電流経路切換部は、複数の半導体スイッチからなるプラズマディスプレイ装置。
【請求項７】
請求項２記載のプラズマディスプレイ装置において、
前記電流経路切換部は、１つの半導体スイッチからなるプラズマディスプレイ装置。
【発明の詳細な説明】
【技術分野】
【０００１】
プラズマディスプレイパネルを用いたプラズマディスプレイ装置に関する。
【背景技術】
【０００２】
プラズマディスプレイパネルを使用した表示装置（以下「プラズマディスプレイ装置」という）は、一般的な平面ディスプレイの特徴である奥行きが小さいことに加え、視野角が広くて大画面を作りやすいという特徴から、薄型大画面テレビの本命と目されている。
【０００３】
しかし、同じ平面ディスプレイである液晶パネルを使用した装置と異なり、放電現象による表示であるために消費電力が大きく、さらに、大面積であるために不要輻射も大きいという欠点がある。発生した不要輻射を抑える技術に関するものとして特許文献１がある。
【０００４】
不要輻射の原因の一つは電流変化に伴う不要な電圧の発生である。プラズマディスプレイ装置では表示に用いられる電流がパルス信号であるため、とくに電流変化が激しくこの問題が大きい。この不要な電圧の発生はパネルにかかる電圧を不安定にし表示品質を落とすため画質に直接的な影響も与えてしまう。従って不要な電圧発生を極力抑えることがプラズマディスプレイパネルの総合的な性能向上に有効である。そして不要な電圧発生を押さえるためには、回路の誘導成分を小さくする、インダクタンスを低減する必要がある。
【０００５】
一般的に、インダクタンスを低減するには配線を短くする、配線の幅を広くするという対策が有効であるが、これらの方策が取れない場合や、これらの方策に加えてさらに方策を必要とする場合、相互インダクタンス及び渦電流の利用が考えられる。プラズマディスプレイに関するインダクタンス低減に関する技術として特許文献２がある。
【０００６】
【特許文献１】特開平１０−２８２８９６号公報
【特許文献２】特開２００２−１５０９４３号公報
【発明の開示】
【発明が解決しようとする課題】
【０００７】
回路のどの部分も誘導成分を小さくすることが必要であるが、特に大電流が流れる経路で誘導成分を下げると効果が大きい。そしてプラズマディスプレイパネルでもっとも大電流の流れる経路は、放電で画像を表示するための表示用の電流である維持放電電流が流れる維持放電回路である。維持放電回路はパネルの発光を担っており、プラズマディスプレイパネル全体で１００Ａを越えるパルス信号の電流が同じタイミングで流れる。
【０００８】
なおこの回路は、長さがほぼプラズマディスプレイパネルの横幅に等しく、長大なループを形成しているため、インダクタンスが大きい回路でもある。そして更に回路のインダクタンス分布を調べると、パネル本体を除いて、一対のプリント配線基板及びそれらを結ぶ接地電位の経路のインダクタンスが大きいことが分かる。この部分のインダクタンスの低減が望まれる。それは、このように大電流，高電圧がパネルに流れるため、放電時の電圧降下，波形の乱れ，電磁放射ノイズの発生等インダクタンスによる悪影響があるためである。
【０００９】
インダクタンスは磁場が絡む現象であり、電流経路の空間配置の違いで様々に変化する。とりわけ、電流経路が広く分布している場合のインダクタンスの低下、及び逆方向電流が近接している場合のインダクタンスの低減が顕著である。これらの効果を維持放電回路に適用することで維持放電回路全体のインダクタンスを大きく低減できる。
【００１０】
しかし、上記特許文献のいずれも維持放電回路の電流経路における電流の広がり具合、及び逆方向電流の近接効果の両方を同時に利用した構造については考慮されていない。
【００１１】
以上本発明の目的は、維持放電回路における電流経路の広がり及び逆方向電流の近接効果を積極的に利用することで維持放電回路全体のインダクタンスを低減し、高画質なプラズマディスプレイ装置を提供することにある。
【課題を解決するための手段】
【００１２】
上記課題を解決するために本発明のプラズマディスプレイ装置は、電極が形成されたプラズマディスプレイパネルと、そのプラズマディスプレイパネルを固定する導電性の導電体と、導電体に複数の固定部材を介して固定された一対の配線基板と、一対の配線基板のそれぞれに１ずつ配置された一対の電流供給部と、プラズマディスプレイパネルの端部に接続された一対の第１接続配線基板と、一対の配線基板の端部に接続された一対の第２接続配線基板と、一対の配線基板の接地配線に接続され、一対の第２接続配線基板と並行に配置された一対の第３接続配線基板と、導電体の端部に接続された一対の第４接続配線基板と、第１から第４の接続配線基板が互いに接続され、電流経路を切り換える一対の電流経路切換部と、を有する構成とする。
【００１３】
また、電極が形成されたプラズマディスプレイパネルと、プラズマディスプレイパネルを固定する導電性の導電体と、導電体に複数の固定部材を介して固定された配線基板と、配線基板に配置された２つの電流供給部と、プラズマディスプレイパネルの端部に接続された一対の第１接続配線基板と、配線基板の端部に接続された第２接続配線基板と、配線基板の接地配線に接続され、第２接続配線基板と並行に配置された第３接続配線基板と、導電体の端部に接続された一対の第４接続配線基板と、配線基板上に配置され、且つ第２接続配線基板と２つの電流供給部との間に配置された電流経路切換部と、を有し、一対の第１接続配線基板の一方と第２接続配線基板間、第３接続配線基板と一対の第４接続配線基板の一方間、一対の第１接続配線基板の他方と一対の第４接続配線基板の他方間とが、直接接続された構成とする。
【発明の効果】
【００１４】
維持放電回路全体のインダクタンスを低減し、高画質なプラズマディスプレイ装置を提供できる。
【発明を実施するための最良の形態】
【００１５】
以下、本発明の実施例について詳細に説明する。なお、本明細書で開示する技術的思想を用いた種々の変更は当然に適宜可能であり、本発明が実施例に狭く限定されることはない。
【実施例１】
【００１６】
本発明の第１の実施例について、図１乃至図５を参照して説明する。
【００１７】
図１は、本発明の第１の実施例によるプラズマディスプレイ装置の概略斜視を示した図である。また、図２は、本発明の第１の実施例によるプラズマディスプレイ装置の長手方向（左右方向）断面である。
【００１８】
プラズマディスプレイパネルは、２枚のガラス板から成っている。図の下が製品の正面にあたり、前面パネル１１３（第１パネル）である。前面パネル１１３の裏側（図では上側）には、背面パネル１１４（第２パネル）があり、両パネルで挟まれた空間でプラズマ放電を発生させて画像を表示する。前面パネル１１３には、表示のためのＸ電極及びＹ電極（何れも図示せず）が形成されている。両パネルの後ろ（図では上）には、プラズマディスプレイパネルを固定する導電性の導電体であるアルミニウムシャーシ１１６（厚さ
１.５mm ）がある。プラズマディスプレイパネルは両面テープ１１５を介して、外ケース（図示せず）を含むその他のプラズマディスプレイの完成品全体は直接、それぞれアルミニウムシャーシ１１６に固定されている。
【００１９】
アルミニウムシャーシ１１６には、一対の配線基板である、Ｙ側維持放電配線基板101及びＸ側維持放電配線基板１０２が複数の固定部材を介して固定され、これら一対の配線基板で維持放電、すなわち、表示のための放電を行っている。この配線基板が、プラズマディスプレイパネルでもっとも大きな電流（維持放電電流）の流れる部分であり、ここのインダクタンス低減が必要になる。
【００２０】
維持放電の電源は、電流を供給する一対の電流供給部であるＹ側電源キャパシタ１０３及びＸ側電源キャパシタ１０４である。本発明が対象としているプラズマディスプレイ装置は交流駆動であり、Ｙ側電源キャパシタ１０３及びＸ側電源キャパシタ１０４が交互に電源になる。
【００２１】
維持放電電流の経路を図５を用いて順を追って説明する。一方の電流供給部のＸ側電源キャパシタ１０４が電流を供給しているフェーズで説明する。
【００２２】
Ｘ側電源キャパシタ１０４の高圧側端子（図示せず）を出た電流は、表示ライン数である４８０本に分離される。ここで電流は集中型から分散型に変わり、Ｘ側維持放電配線基板１０２からコネクタ（図示せず）を経由して第２接続配線基板であるＸ側第２フレキシブル基板１１２に導かれる。Ｘ側第２フレキシブル基板１１２の端は、電流経路を切り換える電流経路切換部であるＸ側半導体スイッチ１０６に至っており、第１接続配線基板であるＸ側第１フレキシブル基板１１０に導かれる。Ｘ側第１フレキシブル基板１１０の他端は前面パネル１１３のＸ電極（図示せず）に接続されている。前面パネル１１３と背面パネル１１４で挟まれた空間で放電を済ませた維持放電電流は、Ｙ電極（図示せず）上を流れ、第１接続配線基板であるＹ側第１フレキシブル基板１０９に流れ込む。Ｙ側第１フレキシブル基板１０９の他端は電流経路を切り換える電流経路切換部であるＹ側半導体スイッチ１０５に接続されており、この電流経路切換部によって第４接続配線基板であるＹ側第４フレキシブル基板１１９に導かれる。この間、電流は分散型（広がった形態）を保っている。Ｙ側第４フレキシブル基板１１９からアルミニウムシャーシ１１６に流入した電流は、アルミニウムシャーシ１１６内を全面に広がった状態で他端まで流れ、アルミニウムシャーシ１１６の端部に接続されている第４接続配線基板であるＸ側第４フレキシブル基板１２０に流れ込む。Ｘ側第４フレキシブル基板１２０の他端は第３接続配線基板であるＸ側第３フレキシブル基板１１８に直結されており、分散型の形態を保ったままＸ側維持放電配線基板１０２に流れ込み、ここで集中型に形態を変えてＸ側電源キャパシタ
１０４の接地端子（図示せず）に至り、ループが完了する。
【００２３】
ここで、本実施例では、Ｙ側維持放電配線基板１０１を支える固定部材、すなわちＹ側固定ねじ１０７及びＸ側維持放電配線基板１０２を支える固定部材、すなわちＸ側固定ねじ１０８は、何れも金属製であり導電性の部材で構成されているが、一対の配線基板であるＹ側維持放電配線基板１０１及びＸ側維持放電配線基板１０２の何れの配線層とも接続していない。すなわち、電気的にはＹ側固定ねじ１０７及びＸ側固定ねじ１０８は絶縁物と同じ働きをしている。Ｙ側維持放電配線基板１０１の接地層とアルミニウムシャーシ
１１６との接続にはお互いに直結しているＹ側第３フレキシブル基板１１７及びＹ側第４フレキシブル基板１１９が担っており、同様にＸ側維持放電配線基板１０２の接地層とアルミニウムシャーシ１１６との接続はＸ側第３フレキシブル基板１１８及びＸ側第４フレキシブル基板１２０が担当している。
【００２４】
なお、第３接続配線基板であるＹ側第３フレキシブル基板１１７は、Ｙ側維持放電配線基板１０１の接地配線に接続され、第２接続配線基板であるＹ側第２フレキシブル基板
１１１と基板面に対して並行に配置されている。Ｘ側に関しても同様である。
【００２５】
以上のように、本実施例では電流が分散状態で流れる経路を最大限に長くしている点及びアルミニウムシャーシ１１６の端部近傍に電流を流し込む形態としている点、また配線基板とプラズマディスプレイパネル端部に接続された接続配線基板との電流の流入出と、アルミニウムシャーシと配線基板内との流入出とが、配線基板の一方向から行われている点が特徴である。その理由について述べる。
【００２６】
図３に、プラズマディスプレイ装置の表示面（完成品の正面）を下にして斜め上部から眺めたところを示す。図は一対の配線基板内の維持放電駆動回路の概略回路図と簡略化した実態図を重ねて表示している。また、表示部であるパネル、プラズマディスプレイ装置を支える部材等、及び説明に必要のない駆動回路を省略して駆動回路の一部のみを図示している。
【００２７】
本発明が対象としている交流駆動プラズマディスプレイ装置では、消去（リセット），記憶（アドレス），表示（維持放電、またはサステイン）の３つの動作が時系列的に行われる。本発明では、そのうちの維持放電期間を対象としている。
【００２８】
図のいちばん奥(下)にあるのが、導電体であるシャーシ２０１である。シャーシ２０１の裏側(図では下側)に表示部であるプラズマディスプレイパネルがある。シャーシ２０１は、プラズマディスプレイパネル（図示せず）、パネルを駆動するための各種回路並びに回路どうし及び回路とパネルを結ぶ各種配線（一部を除き図示せず）を支える、比較的厚いアルミニウムの板である。完成品であるディスプレイとして使用するためには、さらにシャーシ２０１を脚等の支持部材（これも図示せず）で支える。
【００２９】
維持放電期間では、予め表示／非表示を記憶（アドレス）してあるパネル全体にパルス状の交流電圧を印加し、パネルを点灯させる。そのための電極は、Ｘ電極及びＹ電極と呼ばれ（総称してバス電極と呼ぶこともある）、接続用の端子がプラズマディスプレイパネル（図示せず）の長手方向（図の横方向）の端部に並んでいる。
【００３０】
この端子に電流を供給するための回路、つまり維持放電駆動回路がＹ側維持放電配線基板２０２及びＸ側維持放電配線基板２０３上に構成されている。電源の供給元は、別基板（図示せず）にあるスイッチング電源であるが、この回路の実質的な電源は、電流を供給する電流供給部であるＹ側電源キャパシタ２０４及びＸ側電源キャパシタ２０５であり、電解コンデンサとフィルムコンデンサを並列に接続したものである。それぞれ、維持放電電流の交流の半波ずつを担当する。図では、Ｘ側電源キャパシタ２０５が電流を供給しているフェーズを表している。電流が流れる経路を太線で表してある。
【００３１】
経路を順を追って説明する。Ｘ側電源キャパシタ２０５の高圧側端子（図示せず）を出た電流は、電流経路切換部であるＸ側半導体スイッチ２０９の上側がＯＮ下側がＯＦＦになっているため、上側を通って、Ｘ側維持放電配線基板２０３上の端部近傍に配置されたコネクタ（図示せず）を経由して、パネルＸ電極への配線２０７に至る。パネルＸ電極への配線２０７は、プラズマディスプレイパネルのＸ側電極の接続用端子（図示せず）につながる接続配線基板であるフレキシブル配線基板である。Ｘ側電極の接続用端子の延長上にあるパネル内のＸ電極（図示せず）から、パネルの表示セル（図示せず）に入った電流は、パネル内のＹ電極（図示せず）からＹ側電極の接続用端子（図示せず）を経由してパネルＹ電極への配線２０６（これもフレキシブル配線基板）に至る。パネルＹ電極への配線２０６はＹ側維持放電配線基板２０２上の端部近傍に配置されたコネクタ（図示せず）でＹ側維持放電配線基板２０２内の配線につながり、電流はＹ側半導体スイッチ２０８の上側がＯＦＦ下側がＯＮになっているため、下側を通って接地ラインに下りる。Ｙ側維持放電配線基板２０２を出た電流は、シャーシ上のシャーシ通電部２１０を経由してＸ側維持放電配線基板２０３に至り、配線基板内の接地配線を経由して、Ｘ側電源キャパシタ
２０５の接地側端子(図示せず)に至り、一つのループを完成する。なお、Ｙ側維持放電配線基板２０２からシャーシへの電流の供給と、シャーシからＸ側維持放電配線基板２０３への電流の供給は、各配線基板端部とシャーシ端部とを電気的に接続する接続部材（図示せず）により行われる。
【００３２】
次のフェーズでは、逆方向に電流が流れる。そのときは、Ｙ側電源キャパシタ２０４が電源になり、Ｙ側半導体スイッチ２０８の上側を通り、パネルＹ電極への配線２０６からパネル、パネルＸ電極への配線２０７からＸ側半導体スイッチ２０９の下側を通ってシャーシ通電部２１０を経由し、Ｙ側電源キャパシタ２０４にもどる。
【００３３】
図にコイルで示しているように、配線には、すべてインダクタンスが存在する。インダクタンスは、配線の長さ，配線の幅，配線の厚さ，配線の配置，隣接配線の有無，そこを流れる電流等、様々な要因で変化するが、配線長が同じ場合、配線の幅、すなわち電流の広がり具合がその値を決める最大の要因である。先程から説明している維持放電回路では、パネル内の配線が全数並列接続した場合で数百ナノヘンリーと、いちばんインダクタンスの大きい部分であるが、それを除くと、シャーシ通電部２１０，Ｙ側維持放電配線基板２０２及びＸ側維持放電配線基板２０３が大きいインダクタンスを持っている。
【００３４】
シャーシ通電部２１０は、パネル内の配線と同様、電流の流れる長さに比較して充分な幅を有しているため、インダクタンスの絶対値はその大きさの割には比較的小さい。さらに、シャーシ通電部２１０の電流はパネルを流れる電流と逆方向であるため、パネルを流れる電流との相互インダクタンスによるインダクタンスの相殺効果により、パネルとシャーシ通電部２１０を合わせたトータルのインダクタンスを著しく小さい値に持っていくことが可能である。それに対して、Ｙ側維持放電配線基板２０２及びＸ側維持放電配線基板２０３内配線は、配線の引き回しに制約が多く、短い配線長の割には大きいインダクタンスを持っている。しかも、パネルとシャーシ通電部２１０のように、効果的なインダクタンス低減構造がない。本発明では、パネルとシャーシ通電部２１０との相互インダクタンスによるインダクタンスの相殺作用を効果的に発揮する構造であり、同時にＹ側維持放電配線基板２０２及びＸ側維持放電配線基板２０３内の配線のインダクタンスを低くするための構造でもある解決策を提供する。
【００３５】
なお、これは各接続配線基板でも同じく、本実施例では、第１接続配線基板と第２接続配線基板と第３接続配線基板と第４接続配線基板とは、基板面に対して平面状に広がりを持つ電流路を形成する、つまり、向かい合う接続配線基板の基板面を並行に配置し、それら基板に流れる電流の方向を逆方向となるように電流経路を構成することで、相互インダクタンスによるインダクタンスの相殺作用を効果的に発揮する構造となるものである。
【００３６】
図４を使用してパネルとシャーシ通電部の磁気結合をより強くし、インダクタンスを下げる構造について述べる。図４は維持放電配線基板（図示せず）に配置された維持放電駆動回路の接地配線の接地端子をシャーシ４００に接続する位置を３種類変化させた場合のシャーシ４００内の電流分布を示している。図中の１２本ずつの曲線は、電流の流れを示し、１本の線が同じ電流量を表している。
【００３７】
まず、シャーシ４００へ電流を流すポイントがお互いに近い場合（同図（ａ））について述べる。給電点４０４が左右２個所ずつで合計４個所である。左の給電点４０４及び右の給電点４０４はそれぞれ同期している。すなわち、左の２点から電流が供給される瞬間には電流が右の２点に流れ込む。本配置では、電流の一部が対向する給電点４０４に向かわず、逆方向に流れている。すなわち、逆流部４０７が存在する。また、平行部４０１は短い。平行部４０１では、パネル（図示せず）と方向が逆で平行な電流が流れるため、この部分のインダクタンスは、パネルとシャーシ４００でほとんど相殺される。しかし、その他の部分では、相殺効果が小さくなる。とくに、逆流部４０７では相互インダクタンスが正となり、単独のインダクタンスより大きくなってしまう。
【００３８】
つぎに、シャーシ４００に電流を流すポイントが同図（ａ）より離れている同図（ｂ）では、給電点４０５がシャーシ４００の端に近くなるため、逆流部４０７のような、インダクタンスを明らかに増大する個所が存在しなくなる。それと同時に、平行部４０２が平行部４０１より長くなるため、よりインダクタンスの相殺効果が増す。したがって、同図（ａ）より同図（ｂ）の方がパネルとシャーシ４００を合成したインダクタンスが小さくなる。
【００３９】
最後に、シャーシ４００の端で給電する給電線４０６について同図（ｃ）で述べる。いままでの２例と違って、端部で線状に給電すると、シャーシ４００の端まで平行部４０３が延びる。その結果、パネルを流れる維持放電電流とシャーシ４００を流れる維持放電電流の相互インダクタンスが最小（絶対値では最大）になり、パネルとシャーシ４００を合成したインダクタンスがゼロに近づく。
【００４０】
以上、相互インダクタンスを利用して、パネルとシャーシを合わせたインダクタンスを低減する構造について述べた。
【００４１】
本実施例は、図４の（ｃ）に相当する電流の流れ方であり、それを実現するために、アルミニウムシャーシ１１６端部に、一対の第４接続配線基板であるＹ側第４フレキシブル基板１１９及びＸ側第４フレキシブル基板１２０を接続している。
【００４２】
つまり、できるだけ配線基板とシャーシ間の電流の流入出と、配線基板とプラズマシスプレイパネル間の電流の流入出とを、配線基板の一方向から行わせることで、配線基板内の電流路、及び配線基板とシャーシ又はプラズマディスプレイパネル間の電流路において、インダクタンスの相殺効果が増し、相互インダクタンスが低減できる顕著な効果を奏することができる。
【００４３】
本実施例では、電流経路の形態をできるだけ分散状態に保つ構造上の工夫を施している。図５を用いて説明する。図５は図２での電流の流れを表示している。とくに、Ｙ側半導体スイッチ１０５及びＸ側半導体スイッチ１０６の動作を模式的に表示し、電流経路が分かるようにしている。
【００４４】
すでに述べたように、インダクタンスを低減するには集中的に電流が流れる経路を電流が分散状態で流れる経路に変更し、集中経路を短くすることが重要である。維持放電回路において集中的に電流が流れる経路はＹ側維持放電配線基板１０１及びＸ側維持放電配線基板１０２にはかならず存在する。たとえば、電源であるＹ側電源キャパシタ１０３及びＸ側電源キャパシタ１０４の入出力は集中電流の経路であり、分散経路にすることは不可能である。その他、Ｙ側維持放電配線基板１０１及びＸ側維持放電配線基板１０２内には制御用の信号ラインもあり、維持放電電流のインダクタンス低減のみを考慮してその経路を理想的に引き回すことができないトレードオフがある。したがって、維持放電回路ではＹ側維持放電配線基板１０１及びＸ側維持放電配線基板１０２内に電流が流れ込まない工夫が必要である。しかし、電源は必須であるので、つねにＹ側維持放電配線基板１０１或いはＸ側維持放電配線基板１０２内を電流が通過することは仕方ない。すでに述べたように、交流型のプラズマディスプレイ装置においては、維持放電回路の電源をＹ側維持放電配線基板１０１及びＸ側維持放電配線基板１０２が交互に受け持つので、常に電源を担当しない側の配線基板が存在する。図５ではＸ側維持放電配線基板１０２が電源を担当しているので、Ｙ側維持放電配線基板１０１は電源を担当していない。そこで、本実施例では、電源を担当しない側の配線基板、図５ではＹ側維持放電配線基板１０１に電流が流れ込まない構造とした。すなわち、通常は配線基板に搭載するＹ側半導体スイッチ１０５及びＸ側半導体スイッチ１０６をフレキシブル配線基板上に配置したのである。電源側では、Ｘ側半導体スイッチ１０６内に示すように、Ｘ側第２フレキシブル基板１１２からの維持放電電流をＸ側第１フレキシブル基板１１０に導く。また、その反対側では、Ｙ側第１フレキシブル基板１０９からの維持放電電流をＹ側第４フレキシブル基板１１９に導く。こうすることでＹ側第２フレキシブル基板１１１及びＹ側第３フレキシブル基板１１７には維持放電電流が流れず、Ｙ側維持放電配線基板１０１内に維持放電電流が流れ込まない。維持放電電流の全経路でＸ側電源キャパシタ１０４の近傍のみ集中電流が流れるという、ほぼ全体を分散状態の電流にすることができている。
【実施例２】
【００４５】
本発明の第２の実施例について、図６及び図７を参照して説明する。
【００４６】
図６及び図７は、本発明の第２の実施例によるプラズマディスプレイ装置の長手方向
（左右方向）断面である。
【００４７】
図で明らかなように、本実施例では片側にのみ配線基板である維持放電配線基板６０１を設け、維持放電配線基板６０１上に電源として、２つの電流供給部であるプラス側電源キャパシタ６０２とマイナス側電源キャパシタ６０３の二種類が搭載されていることが特徴である。
図６は前面パネル６１３に第１接続配線基板であるＹ側第１フレキシブル基板６０６から維持放電電流が流れ込むフェーズ、図７は、逆方向で前面パネル６１３にＸ側第１フレキシブル基板６０８から維持放電電流が流れ込むフェーズを表している。
【００４８】
維持放電電流の経路を順を追って説明する。まず、図６に従って説明する。プラス側電源キャパシタ６０２の高圧側端子（図示せず）を出た電流は、半導体スイッチ６０４を経由して第２接続配線基板であるＹ側第２フレキシブル基板６０５に導かれる。このときに、集中型から分散型に流れ方が変わる。Ｙ側第２フレキシブル基板６０５の端はＹ側第１フレキシブル基板６０６に直結しており、Ｙ側第１フレキシブル基板６０６の他端から前面パネル６１３のＹ電極（図示せず）に流れ込む。前面パネル６１３と背面パネル６１４で挟まれた空間で放電を済ませた維持放電電流は、Ｘ電極（図示せず）上を流れ、Ｘ側第１フレキシブル基板６０８に流れ込む。第１接続配線基板であるＸ側第１フレキシブル基板６０８の他端は第４接続配線基板であるＸ側第４フレキシブル基板６０９に直結しており、Ｘ側第４フレキシブル基板６０９の他端が接続している導電体のシャーシ６１６に流れ込む。この間、電流は分散型（広がった形態）を保っている。シャーシ６１６内を全面に広がった状態で他端まで流れ、シャーシ６１６の端部に接続されている第４接続配線基板であるＹ側第４フレキシブル基板６１０に流れ込む。Ｙ側第４フレキシブル基板６１０の他端は第３接続配線基板であるＹ側第３フレキシブル基板６１１に直結しており、分散型の形態を保ったまま維持放電配線基板６０１の接地配線に流れ込み、ここで集中型に形態を変えてプラス側電源キャパシタ６０２の接地側端子（図示せず）に至り、ループが完了する。
【００４９】
つぎに、図７に従って説明する。マイナス側電源キャパシタ６０３の接地側端子（図示せず）を出た電流は、維持放電配線基板６０１の接地配線を流れ、Ｙ側第３フレキシブル基板６１１に導かれる。ここで、集中型から分散型に流れ方が変わった維持放電電流は、Ｙ側第３フレキシブル基板６１１の端に直結しているＹ側第４フレキシブル基板６１０に流入し、Ｙ側第４フレキシブル基板６１０の他端からシャーシ６１６に流れ込む。この間、電流は分散型（広がった形態）を保っている。シャーシ６１６内を図の左から右に全面に広がった状態で他端まで流れ、シャーシ６１６の端部に接続されているＸ側第４フレキシブル基板６０９から直結しているＸ側第１フレキシブル基板６０８を経由して前面パネル６１３のＸ電極（図示せず）に流れ込む。前面パネル６１３と背面パネル６１４で挟まれた空間で放電を済ませた維持放電電流は、Ｙ電極（図示せず）上を流れ、Ｙ側第１フレキシブル基板６０６に流れ込む。Ｙ側第１フレキシブル基板６０６の他端はＹ側第２フレキシブル基板６０５に直結しており、Ｙ側第２フレキシブル基板６０５の他端が接続している維持放電配線基板６０１のパネル側配線に流れ込む。ここまで分散型を維持してきた維持放電電流は、ここで集中型に形態を変えて電流経路切換部である１つの半導体スイッチ６０４を経由してマイナス側電源キャパシタ６０３の高圧側端子（図示せず、電位はマイナス）に至り、ループが完了する。ここで、第１の実施例と異なり、半導体スイッチ
６０４はプラス側電源キャパシタ６０２とマイナス側電源キャパシタ６０３の高圧側端子のどちらをパネルに導くかの切り換えのために使用される。
【００５０】
本実施例のもっとも顕著な特徴は、第１の実施例よりさらに徹底して前面パネル６１３からシャーシ６１６への経路を広くしかも短くしたことにある。そのために、インダクタンス低減にもっとも有効な構造となっている。第１の実施例では経路の途中で２個所にスイッチが存在するが、本実施例では１個所のみである。いかに分散型にスイッチを配置しても、各スイッチを通過する時点では、分散したスイッチに流入する電流は流れる方向が変化し、また半導体内部では細い流路になっているのでどうしてもインダクタンスが上昇する。その点、本実施例ではＸ側第１フレキシブル基板６０８とＸ側第４フレキシブル基板６０９を直結しているため、第１の実施例よりさらにインダクタンスを低減することが可能である。
【００５１】
また、もう一つの特徴は、集中型スイッチが使える点である。もちろん、分散型のスイッチを使用した方がインダクタンスの低減には有利であるが、明らかにコストアップにつながる。その点、本実施例では集中型のスイッチを使用しても全流路のインダクタンスに与える影響が少なく、少ないスイッチによるよりシンプルな構造を採ることが可能である。
【００５２】
他の特徴としては、配線基板が一つで良いために、部品点数が少なく、組み立てが簡略化され信頼性も増すという点である。
【図面の簡単な説明】
【００５３】
【図１】本発明の実施例１に係るプラズマディスプレイ装置の概略斜視を示した図である。
【図２】本発明の実施例１に係るプラズマディスプレイ装置の断面を示した図である。
【図３】本発明の原理を説明するための図である。
【図４】本発明の原理を説明するための図である。
【図５】本発明の実施例１に係るプラズマディスプレイ装置の断面を示した図である。
【図６】本発明の実施例２に係るプラズマディスプレイ装置の断面を示した図である。
【図７】本発明の実施例２に係るプラズマディスプレイ装置の断面を示した図である。
【符号の説明】
【００５４】
１０１，２０２…Ｙ側維持放電配線基板、１０２，２０３…Ｘ側維持放電配線基板、
１０３，２０４…Ｙ側電源キャパシタ、１０４，２０５…Ｘ側電源キャパシタ、１０５…Ｙ側半導体スイッチ、１０６…Ｘ側半導体スイッチ、１０７…Ｙ側固定ねじ、１０８…Ｘ側固定ねじ、１０９，６０６…Ｙ側第１フレキシブル基板、１１０，６０８…Ｘ側第１フレキシブル基板、１１１，６０５…Ｙ側第２フレキシブル基板、１１２…Ｘ側第２フレキシブル基板、１１３，６１３…前面パネル、１１４,６１４…背面パネル、１１５,６１５…両面テープ、１１６…アルミニウムシャーシ、１１７，６１１…Ｙ側第３フレキシブル基板、１１８…Ｘ側第３フレキシブル基板、１１９，６１０…Ｙ側第４フレキシブル基板、１２０，６０９…Ｘ側第４フレキシブル基板、２０１，４００，６１６…シャーシ、
２０６…パネルＹ電極への配線、２０７…パネルＸ電極への配線、２０８…Ｙ側半導体スイッチ、２０９…Ｘ側半導体スイッチ、２１０…シャーシ通電部、４０１,４０２,４０３…平行部、４０５…給電点、４０６…給電線、４０７…逆流部、６０１…維持放電配線基板、６０２…プラス側電源キャパシタ、６０３…マイナス側電源キャパシタ、６０４…半導体スイッチ、６０７…固定ねじ。
【図１】
2007047619.tif 000003
【図２】
2007047619.tif 000004
【図３】
2007047619.tif 000005
【図４】
2007047619.tif 000006
【図５】
2007047619.tif 000007
【図６】
2007047619.tif 000008
【図７】
2007047619.tif 000009